(57)【要約】【課題】記録媒体の端縁から外側にはみ出したインクをプラテンに十分に染み込ませることができるインクジェット式記録装置およびインクジェット式記録方法を提供する。【解決手段】インクジェット式記録装置１０は、記録ヘッド１１をガイド軸１２に沿って移動して、記録ヘッド１１からインク１４を吐出させることで記録用紙１３に縁無し印刷を行う際に、記録用紙１３の外側にはみ出したインク１４をプラテン１５に染み込ませるように構成され、プラテン１５に特定の浸透性成分が含浸されている。【選択図】  図１
2005014424.tif 000002
【特許請求の範囲】
【請求項１】
着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録装置において、
前記プラテンにエーテル類、アセテート類、セロソルブ類、カルビトール類、アセチレングリコール類、アセチレンアルコール類からなる群から選ばれる少なくとも一種類を含む浸透性成分が含浸されたことを特徴とするインクジェット式記録装置。
【請求項２】
前記浸透性成分として、エーテル類、アセテート類、セロソルブ類およびカルビトール類からなる群から選ばれる少なくとも一種類と、アセチレングリコール類およびアセチレンアルコール類からなる群から選ばれる少なくとも一種類とを含むことを特徴とする請求項１に記載のインクジェット式記録装置。
【請求項３】
前記固体保湿剤と共に、さらに２０℃における蒸気圧が０．１ｍｍＨｇ以下であるポリオールを少なくとも一種類を含むことを特徴とする請求項１あるいは２に記載のインクジェット式記録装置。
【請求項４】
着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録方法において、
あらかじめ前記プラテンにエーテル類、アセテート類、セロソルブ類、カルビトール類、アセチレングリコール類、アセチレンアルコール類からなる群から選ばれる少なくとも一種類を含む浸透性成分を含浸させておくことを特徴とするインクジェット式記録方法。
【請求項５】
前記浸透性成分として、エーテル類、アセテート類、セロソルブ類およびカルビトール類からなる群から選ばれる少なくとも一種類と、アセチレングリコール類およびアセチレンアルコール類からなる群から選ばれる少なくとも一種類とを含むことを特徴とする請求項３に記載のインクジェット式記録方法。
【請求項６】
前記固体保湿剤と共に、さらに２０℃における蒸気圧が０．１ｍｍＨｇ以下であるポリオールを少なくとも一種類を含むことを特徴とする請求項４あるいは５に記載のインクジェット式記録方法。
【発明の詳細な説明】
【０００１】
【発明の属する技術分野】
本発明はインクジェット式記録装置およびインクジェット式記録方法に関し、特に記録ヘッドをガイド軸に沿って移動して、記録ヘッドから顔料インクを吐出させることで記録媒体に縁無し印刷を行うインクジェット式記録装置およびインクジェット式記録方法に関する。
【０００２】
【従来の技術】
記録媒体における前後左右それぞれの端縁の余白をゼロにして印刷できるインクジェット式記録装置が開示されている（例えば、特許文献１、特許文献２）。この公報に開示された記録装置によると、キャリッジに搭載された記録ヘッドの走査範囲を、記録媒体における左右の両端縁より外側に外れる位置まで移動するように設定して印刷動作を実行するように構成されている。
【０００３】
このインクジェット式記録装置で印刷を行う際には、図５（Ａ）に示すように、記録媒体としての記録用紙１００が矢印Ａの副走査方向に搬送され、記録用紙１００の前縁１００Ａが記録ヘッド１０１の下方に到達したとき、キャリッジが矢印Ｂの主走査方向に沿って往復動するとともに、記録ヘッド１０１からインク１０２を吐出させて記録用紙１００への印刷を開始する。
【０００４】
この際、記録用紙１００における前縁１００Ａの余白をゼロにして印刷を行うために、記録用紙１００の前縁１００Ａから外側にインク１０２をはみ出させる。
【０００５】
この状態から記録用紙１００が矢印Ａの副走査方向に搬送されることにより、図５（Ｂ）の状態になると、記録用紙１００における側縁１００Ｂの余白をゼロにして印刷を行うために、矢印Ｂの主走査方向に沿うキャリッジの往復動距離を適宜調整することにより、記録用紙１００の側縁１００Ｂから外側にインク１０２をはみ出させる。
【０００６】
さらに、この状態から記録用紙１００が矢印Ａの副走査方向に搬送されることにより、図５（Ｃ）の状態になると、記録用紙１００における後縁１００Ｃの余白をゼロにして印刷を行うために、記録用紙１００の後縁１００Ｃから外側にインク１０２をはみ出させる。
【０００７】
【特許文献１】
特開平７−９７１２号公報
【特許文献２】
特開平８−１６９１５５号公報
【０００８】
【発明が解決しようとする課題】
ここで、記録用紙１００の前縁１００Ａ、側縁１００Ｂや後縁１００Ｃから外側にはみ出したインク１０２は、図６に示すプラテン１０４に染み込ませる。例えば特許文献１では、プラテン１０４にインク吸収体として多孔質セラミック等を用いることが示されている。従来は、この構成で縁無し印刷を行う際に顔料インクを用いた場合、特に夏季等で室温が上昇した使用環境下では顕著に、プラテン１０４上に吐出された顔料インク１０２中の水分が蒸発して、顔料分が析出していた。
【０００９】
このため、図７に示すように顔料インク１０２をプラテン１０４に十分に染み込ませることができない場合があり、図８に示すようにプラテン１０４の表面にインク（顔料）１０２が堆積（以下、「山積り１０５」という）する場合があった。
【００１０】
このように、プラテン１０４の表面に山積り１０５が発生すると、次の記録用紙１００に印刷する際に、山積り１０５に記録用紙１００の端面が接触して、記録用紙１００の端面が汚れてしまうことが考えられる。
【００１１】
本発明は、前述した問題点に鑑みてなされたものであり、その目的は、記録媒体の端縁から外側にはみ出したインクをプラテンに十分に染み込ませることができる顔料インクを用いたインクジェット式記録装置およびインクジェット式記録方法を提供することにある。
【００１２】
【課題を解決するための手段】
前述した目的を達成するために、本発明のインクジェット式記録装置は、請求項１に記載したように、着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録装置において、前記プラテンにエーテル類、アセテート類、セロソルブ類、カルビトール類、アセチレングリコール類、アセチレンアルコール類からなる群から選ばれる少なくとも一種類を含む浸透性成分が含浸されたことを特徴としている。
ここで挙げている浸透性成分は、インクに対してその表面張力を下げる作用がある。従って、このように構成されたインクジェット式記録装置においては、プラテンにこのような浸透性成分を含浸させると、顔料インクがプラテンにさらに染み込み易くなる。
また、これら浸透性成分は、顔料に対して親和性があり、顔料の凝集を緩和する作用もある。よって、特に夏季等で室温が上昇した場合に顔料インクから水分が蒸発してインク中の顔料濃度が上昇しても、顔料分の析出を抑制してプラテンに十分に効率よく染み込ませることができる。
【００１３】
また、本発明のインクジェット式記録装置は、好ましい態様として、請求項２に記載したように、前記浸透性成分として、エーテル類、アセテート類、セロソルブ類およびカルビトール類からなる群から選ばれる少なくとも一種類と、アセチレングリコール類およびアセチレンアルコール類からなる群から選ばれる少なくとも一種類とを含むことを特徴とする。
【００１４】
このように構成されたインクジェット式記録装置においては、プラテンに上記のような浸透性成分を含浸させて、記録媒体の外側にはみ出した顔料インクをプラテンに効率よく染み込ませるようにしている。よって、特に夏季等で室温が上昇した場合に、プラテン上に吐出された顔料インクから水分が蒸発してインク中の顔料濃度が上昇しても、顔料分の析出を抑制してプラテンに十分に染み込ませることができる。
従って、プラテンの表面に顔料インクが山積りになることを阻止できるので、後続の記録媒体が山積りに接触することを防いで記録媒体が汚れてしまうことを防止できる。
【００１５】
さらに、本発明のインクジェット式記録装置は、好ましい態様として、請求項３に記載したように、前記浸透性成分と共に、さらに２０℃における蒸気圧が０．１ｍｍＨｇ以下であるポリオールを少なくとも一種類を含むことを特徴とする。
【００１６】
このように構成されたインクジェット式記録装置においては、プラテンに上記のような浸透性成分と共に特定のポリオールを含浸させて、記録媒体の外側にはみ出した顔料インクをプラテンに効率よく染み込ませるようにしている。ここで挙げているポリオールは、前記の浸透性成分と併用することにより、インクの乾燥性をさらに抑制する作用をもつ。よって、特に夏季等で室温が上昇した場合に顔料インクから水分が蒸発してインク中の顔料濃度が上昇しても、顔料分の析出を抑制してプラテンに十分に効率よく染み込ませることができる。
従って、プラテンの表面に顔料インクが山積りになることを阻止できるので、後続の記録媒体が山積りに接触することを防いで記録媒体が汚れてしまうことを防止できる。
【００１７】
一方、本発明のインクジェット式記録方法は、請求項３に記載したように、着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録方法において、あらかじめ前記プラテンにエーテル類、アセテート類、セロソルブ類、カルビトール類、アセチレングリコール類、アセチレンアルコール類からなる群から選ばれる少なくとも一種類を含む浸透性成分を含浸させておくことを特徴としている。
このように構成された顔料インクを用いたインクジェット式記録方法においては、プラテンに上記のような浸透性成分をあらかじめ含浸させて、記録媒体の外側にはみ出した顔料インクをプラテンに効率よく染み込ませるようにしている。よって、特に夏季などで室温が上昇した場合に、プラテン上に吐出された顔料インクから水分が蒸発してインク中の顔料濃度が上昇しても、顔料分の析出を抑制してプラテンに十分に染み込ませることができる。
従って、プラテンの表面に顔料インクが山積りになることを阻止できるので、後続の記録媒体が山積りに接触することを防いで記録媒体が汚れてしまうことを防止できる。
【００１８】
また、本発明のインクジェット式記録方法は、好ましい態様として、請求項４に記載したように、前記浸透性成分として、エーテル類、アセテート類、セロソルブ類およびカルビトール類からなる群から選ばれる少なくとも一種類と、アセチレングリコール類およびアセチレンアルコール類からなる群から選ばれる少なくとも一種類とを含むことを特徴とする。
【００１９】
さらに、本発明のインクジェット式記録装置は、好ましい態様として、請求項６に記載したように、前記浸透性成分と共に、さらに２０℃における蒸気圧が０．１ｍｍＨｇ以下であるポリオールを少なくとも一種類を含むことを特徴とする。
【００２０】
【発明の実施の形態】
以下、本発明に係る実施形態を図面に基づいて詳細に説明する。なお、以下に説明する各実施形態において、既に図５、７および８において説明した部材等については、図中に同一符号あるいは相当符号を付すことにより説明を簡略化あるいは省略する。
【００２１】
図１および図２に示すように、本発明に係る顔料インクを用いたインクジェット式記録装置１０は、記録ヘッド１１をガイド軸１２に沿って矢印Ｂの主走査方向に移動して、記録ヘッド１１からインクを吐出させることで記録用紙（記録媒体）１３に縁無し印刷を行う際に、記録用紙１３の外側にはみ出したインク１４をプラテン１５に染み込ませるように構成されている。
【００２２】
記録ヘッド１１にはキャリッジ１６が設けられ、このキャリッジ１６がガイド軸１２に移動自在に支持されている。これにより、記録ヘッド１１をガイド軸１２に沿って矢印Ｂの主走査方向に走査することができる。
インクとしては着色剤に顔料を用いたものが使用される。
キャリッジ１６にはブラックインクカートリッジ１７やカラーインクカートリッジ１８が着脱自在に装填されている。ブラックインクカートリッジ１７の先端は記録ヘッド１１のノズル１１Ａに連通されている。
【００２３】
また、カラーインクカートリッジ１８にはシアンのカートリッジ１８Ａ、マゼンタのカートリッジ１８Ｂおよびイエローのカートリッジ１８Ｃが備えられ、それぞれのカートリッジ１８Ａ、１８Ｂ、１８Ｃの先端は記録ヘッド１１の各ノズル１１Ｂ、１１Ｃ、１１Ｄに連通されている。
【００２４】
ガイド軸１２の下方には、プラテン１５がガイド軸１２に平行に配置されている。プラテン１５は、一例として発泡性樹脂が該当するが、布、綿やスポンジ等のその他の材料を使用することも可能である。
【００２５】
このプラテン１５には、一方の端部１５Ａから他方の端部１５Ｂに渡って全域に浸透性成分が含浸されている。浸透性成分としては、エーテル類、アセテート類、セロソルブ類、カルビトール類、アセチレングリコール類、アセチレンアルコール類からなる群から選ばれる少なくとも一種類が該当する。
【００２６】
これらの浸透性成分であるエーテル類、アセテート類、セロソルブ類、カルビトール類、アセチレングリコール類、アセチレンアルコール類は、それぞれ一種類のみをプラテン１５に含浸させてもよいし、二種類以上を混合して含浸させてもよいが、エーテル類、アセテート類、セロソルブ類およびカルビトール類からなる群から選ばれる少なくとも一種類と、アセチレングリコール類及びアセチレンアルコール類からなる群から選ばれる少なくとも一種類とを含む混合物をプラテン１５に含浸させた方が好ましい。
【００２７】
該浸透性成分のうち、エーテル類として詳しくは、エチレングリコールジメチルエーテル、ジエチレングリコールジメチルエーテル、２−（メトキシメトキシ）エタノール、エチレングリコールイソプロピルエーテル、フルフリルアルコール、テトラヒドロフルフリルアルコール、トリエチレングリコールモノメチルエーテル、トリエチレングリコールモノエチルエーテル、トリエチレングリコールモノブチルエーテル、プロピレングリコールモノメチルエーテル、プロピレングリコールモノエチルエーテル、ジプロピレングリコールモノメチルエーテル、ジプロピレングリコールモノエチルエーテル、トリプロピレングリコールモノメチルエーテルが挙げられる。
また、セロソルブ類として詳しくは、エチレングリコールジエチルエーテル、エチレングリコールジブチルエーテル、エチレングリコールモノメチルエーテル、エチレングリコールモノエチルエーテル、エチレングリコールモノブチルエーテル、エチレングリコールモノイソアミルエーテル、エチレングリコールモノヘキシルエーテル、エチレングリコールモノフェニルエーテル、エチレングリコールモノベンジルエーテルが挙げられる。
【００２８】
また、アセテート類として詳しくは、エチレングリコールモノメチルエーテルアセテート、エチレングリコールモノブチルエーテルアセテート、エチレングリコールモノフェニルエーテルアセテートが挙げられる。
【００２９】
また、カルビトール類として詳しくは、ジエチレングリコールジエチルエーテル、ジエチレングリコールジブチルエーテル、ジエチレングリコールモノメチルエーテル、ジエチレングリコールモノエチルエーテル、ジエチレングリコールモノブチルエーテル、ジエチレングリコールモノエチルエーテルアセテート、ジエチレングリコールモノブチルエーテルアセテートが挙げられる。
【００３０】
また、アセチレングリコール類は、下記の式（１）で表される化合物が挙げられる。
【００３１】
【化１】
2005014424.tif 000003
【００３２】
（上記式中、Ｒ１、Ｒ２、Ｒ３、及びＲ４はそれぞれ独立してアルキル基を示し、ｍ１＋ｎ１は０から３０である。）
また、アセチレンアルコール類は、下記の式（２）で表される化合物が挙げられる。
【００３３】
【化２】
2005014424.tif 000004
【００３４】
（上記式中、Ｒ５、Ｒ６はそれぞれ独立してアルキル基を示し、ｍ２は０から３０である。）
上記の式（１）で表されるアセチレングリコール類は市販されているものを用いることができ、詳しくはサーフィノール１０４、サーフィノール１０４Ｅ、サーフィノール１０４Ｈ、サーフィノール１０４Ａ、サーフィノール１０４ＢＣ、サーフィノール１０４ＤＰＭ、サーフィノール１０４ＰＡ、サーフィノール１０４Ｓ、サーフィノール４２０、サーフィノール４４０、サーフィノール４６５、サーフィノール４８５、サーフィノールＳＥ、サーフィノールＳＥ−Ｆ、サーフィノール５０４、ＤＦ１１０Ｄ、サーフィノールＤＦ３７、サーフィノールＣＴ１１１、サーフィノールＣＴ１２１、サーフィノールＣＴ１３１、サーフィノールＣＴ１３６、サーフィノールＴＧ、サーフィノールＧＡ（以上全て商品名、エアープロダクツアンドケミカルズ社製）、オルフィンＳＴＧ、オルフィンＳＰＣ、オルフィンＥ１００４、オルフィンＥ１０１０、オルフィンＡＫ−０２（以上全て商品名、日信化学工業株式会社製）等が挙げられる。
【００３５】
また、上記の式（２）で表されるアセチレンアルコール類も市販されているものを用いることができ、詳しくはサーフィノール６１（商品名、エアープロダクツアンドケミカルズ社製）、オルフィンＡ、オルフィンＢ、オルフィンＰ（以上全て商品名、日信化学工業株式会社製）等が挙げられる。
【００３６】
以上述べた浸透性成分を用いる際、そのままあるいは水との混合液状態で用いてもよい。また、エーテル類、アセテート類、セロソルブ類およびカルビトール類からなる群から選ばれる少なくとも一種類と、アセチレングリコール類及びアセチレンアルコール類からなる群から選ばれる少なくとも一種類とを含む混合物を用いる場合、その混合比率はプラテン１５への含浸作業性・用いる顔料インク種類等に応じて適宜決定されてよく、さらに水との混合液として用いてもよい。
【００３７】
さらに、上記の浸透性成分と共に、２０℃における蒸気圧が０．１ｍｍＨｇ以下であるポリオールを少なくとも一種類を含むことが好ましい。このようなポリオールをさらに含むことによりプラテン１５上に吐出されたインクの乾燥がより抑制され、特に夏季などで室温が上昇した場合にプラテン１５上に吐出された顔料インクから水分が蒸発してインク中の顔料濃度が上昇しても、顔料分の析出を抑制してプラテン１５に十分に染み込ませることができる。
【００３８】
前記ポリオールとしては、保湿性や吸湿性が高く、蒸発気化し難いものが好ましい。
具体的には、グリセリン、エチレングリコール、ジエチレングリコール、トリエチレングリコール、テトラエチレングリコール、１，３−プロパンジオール、１，３−ブタンジオール、１，４−ブタンジオール、２，３−ブタンジオール、１，５−ペンタンジオール、２−ブテン−１，４−ジオール、１，６−ヘキサンジオール、２−メチル−２，４−ペンタンジオール、２−エチル−１，３−ヘキサンジオール、１，２，６−ヘキサントリオール、プロピレングリコール、ジプロピレングリコール、トリプロピレングリコール、ポリエチレングリコール等の多価アルコール類等が挙げられる。
【００３９】
このポリオールを上記の浸透性成分と併用する際の混合比率は、プラテン１５への含浸作業性・用いる顔料インク種類等に応じて適宜決定されてよい。
【００４０】
この顔料インクを用いたインクジェット式記録装置１０によれば、キャリッジ１６をガイド軸１２に沿って矢印Ｂの主走査方向に移動させることにより、記録ヘッド１１をガイド軸１２に沿って走査し、併せて記録用紙１３を記録ヘッド１１の走査方向に直交する副走査方向（矢印Ａ）へ紙送りする際に、それぞれのカートリッジ１７、１８Ａ〜１８Ｃから各ノズル１１Ａ〜１１Ｄを介してインクを吐出することにより記録用紙１３に印刷を行うことができる。
【００４１】
次に、顔料インクを用いたインクジェット式記録装置１０のインクジェット式記録方法を図２〜図４に基づいて説明する。
顔料インクを用いたインクジェット式記録装置１０で印刷を行う際には、図２（Ａ）に示すように、矢印Ａの副走査方向に搬送されて記録用紙１３の先端１３Ａが記録ヘッド１１の下方に到達したとき、キャリッジが矢印Ｂの主走査方向に沿って往復動するとともに、記録ヘッド１１から顔料インク１４を吐出させて記録用紙１３への印刷を開始する。この際、記録用紙１３における前縁１３Ａの余白をゼロにして印刷を行うために、記録用紙１３の前縁１３Ａから外側に顔料インク１４をはみ出させる。
この状態から記録用紙１３が矢印Ａの副走査方向に搬送されることにより、図２（Ｂ）の状態になると、記録用紙１３における側縁１３Ｂの余白をゼロにして印刷を行うために、矢印Ｂの主走査方向に沿うキャリッジの往復動距離を適宜調整することにより、記録用紙１３の側縁１３Ｂから外側１４に顔料インクをはみ出させる。
さらに、この状態から記録用紙１３が矢印Ａの副走査方向に搬送されることにより、図２（Ｃ）の状態になると、記録用紙１３における後縁１３Ｃの余白をゼロにして印刷を行うために、記録用紙１３の後縁１３Ｃから外側に顔料インク１４をはみ出させる（図３参照）。
【００４２】
ここで、記録用紙１３の前縁１３Ａ、側縁１３Ｂや後縁１３Ｃから外側にはみ出した顔料インク１４は、図３に示すプラテン１５に染み込ませる。プラテン１５には、一方の端部１５Ａから他方の端部１５Ｂに渡って全域に浸透性成分として、上述したエーテル類、アセテート類、セロソルブ類、カルビトール類、アセチレングリコール類、アセチレンアルコール類からなる群から選ばれる少なくとも一種類が、必要であればさらにポリオールを併用したものが含浸されている。
【００４３】
このため、図４に示すように、記録用紙１３の前縁１３Ａ、側縁１３Ｂや後縁１３Ｃから外側にはみ出した顔料インク１４をプラテン１５に効率よく染み込ませることができる。よって、顔料インクを用いたインクジェット式記録装置１０の使用環境が、特に夏季等で室温が上昇した場合に、プラテン上に吐出された顔料インクから水分が蒸発して顔料濃度が上昇しても、顔料分の析出を抑制して顔料インク１４をプラテン１５に十分に染み込ませることができる。
【００４４】
従って、従来技術のように、プラテン１５の表面にインク（顔料）が山積りになることを防止できる。これにより、次の記録用紙１３に印刷する際に、山積りに記録用紙１３の端面が接触して、記録用紙１３の端面が汚れてしまうことを防止できる。
【００４５】
また、プラテン１５には、一方の端部１５Ａから他方の端部１５Ｂに渡って全域に浸透性成分を、必要であればさらにポリオールを併用したものを含浸させている。このため、記録用紙１３の前縁１３Ａ、側縁１３Ｂや後縁１３Ｃからプラテン１５に染み込んだインクを、プラテン１５の一方の端部１５Ａから他方の端部１５Ｂの全域に染み込ませることができる。従って、プラテン１５に多量の顔料インクを染み込ませることができるので、プラテン１５を交換するサイクルを延ばすことができる。
【００４６】
なお、前記実施形態では、記録媒体として記録用紙１３を例に説明したが、これに限らないで、その他の記録媒体に適用することも可能である。
さらに、本発明は、前述した実施形態に限定されるものでなく、適宜な変形，改良等が可能であり、前述した実施形態において例示した記録ヘッド，ガイド軸およびプラテン等の材質，形状，寸法，形態，数，配置個所，厚さ寸法等は本発明を達成できるものであれば任意であり、限定されない。
【００４７】
【実施例】
次に、実施例１〜１０と比較例１〜２について説明する。
【００４８】
実施例１〜１０および比較例１〜２のプラテン１５として、ウレタンフォームを使用した。
【００４９】
また、実施例１〜１０および比較例１〜２の顔料インクとして、ブラックインクカートリッジ１７にブラック顔料インク、シアンのカートリッジ１８Ａにシアン顔料インク、マゼンタのカートリッジ１８Ｂにマゼンタ顔料インク、イエローのカートリッジ１８Ｃにイエロー顔料インクをそれぞれ充填した。
【００５０】
ブラック顔料インクは、カーボンブラックを６重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５１】
また、マゼンタ顔料インクは、Ｃ．Ｉ．ピグメントレッド１２２を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５２】
さらに、シアン顔料インクは、Ｃ．Ｉ．ピグメントブルー１５：３を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５３】
また、イエロー顔料インクは、Ｃ．Ｉ．ピグメントイエロー７４を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５４】
一方、実施例１〜８には以下に示す本発明の浸透性成分を含浸させたプラテン１５を使用し、比較例１には浸透性成分を含浸させないプラテン１５を、比較例２には純水を含浸させたプラテン１５を使用した。
【００５５】
（実施例１）
浸透性成分として、エーテル類であるトリエチレングリコールモノブチルエーテルを１０重量％、残りを純水とした混合液を用いた。
【００５６】
（実施例２）
浸透性成分として、セロソルブ類であるエチレングリコールジエチルエーテルを５重量％、残りを純水とした混合液を用いた。
【００５７】
（実施例３）
浸透性成分として、カルビトール類であるジエチレングリコールモノブチルエーテルをそのまま用いた。
【００５８】
（実施例４）
浸透性成分として、アセチレングリコール類であるサーフィノール４６５（商品名、エアープロダクツアンドケミカルズ社製）を２０重量％、残りを純水とした混合液を用いた。
【００５９】
（実施例５）
浸透性成分として、アセチレンアルコール類であるオレフィンＢ（商品名、日信化学工業株式会社製）を１０重量％、残りを純水とした混合液を用いた。
【００６０】
（実施例６）
浸透性成分として、カルビトール類であるジエチレングリコールモノブチルエーテルを５０重量％、アセチレングリコール類であるオレフィンＥ１０１０（商品名、日信化学工業株式会社製）を１０重量％、残りを純水とした混合液を用いた。
【００６１】
（実施例７）
浸透性成分として、エーテル類であるトリエチレングリコールモノブチルエーテルを６０重量％、アセチレングリコール類であるサーフィノール１０４（商品名、エアープロダクツアンドケミカルズ社製）を１重量％、残りを純水とした混合液を用いた。
【００６２】
（実施例８）
浸透性成分として、セロソルブ類であるエチレングリコールジブチルエーテルを９０重量％、アセチレンアルコール類としてサーフィノール６１（商品名、エアープロダクツアンドケミカルズ社製）を１０重量％とした混合液を用いた。
【００６３】
（実施例９）
浸透性成分として、アセチレングリコール類であるサーフィノール４６５（商品名、エアープロダクツアンドケミカルズ社製）を１０重量％、ポリオールとしてグリセリンを２０重量％、残りを純水とした混合液を用いた。
【００６４】
（実施例１０）
浸透性成分として、セロソルブ類であるエチレングリコールジブチルエーテルを４０重量％、アセチレンアルコール類としてサーフィノール６１（商品名、エアープロダクツアンドケミカルズ社製）を１０重量％、ポリオールとしてグリセリンを１０重量％、残りを純水とした混合液を用いた。
【００６５】
以上のプラテン１５を用いて、該プラテン１５に対して塗布量２００ｇ／ｍ２で均一に塗布した。インクジェット式記録装置として、ＥＭ−９３０Ｃ（商品名、セイコーエプソン株式会社製）の金属製プラテンの代わりに上記の含浸済みウレタンフォームを通紙とのギャップ２ｍｍの位置に装着して、Ａ４サイズ（２１０ｍｍ×２９７ｍｍ）の記録媒体に対して２３０ｍｍ×２９７ｍｍの画像データを送り、４０℃／２０％ＲＨ環境下において、１００万パス縁無し印刷を行った。その結果、実施例１〜１０ではインク（顔料）の山積りの発生がなく、印刷物を汚すことを防止できた。一方、比較例１および２ではインク（顔料）の山積りが発生し、印刷物が汚れてしまった。
このことから、インク（顔料）の山積りの発生をなくすためには、プラテン１５に本発明で挙げるような浸透性成分を含浸させると効果があることが判った。
【００６６】
さらに、実施例６〜１０においては、パス数を１５０万パスまで延長して縁無しし印刷を行っても、インク（顔料）の山積りの発生がなく、印刷物を汚すことを防止できたという格別な効果があった。
このことから、本発明で挙げるような浸透性成分のうち、エーテル類、アセテート類、セロソルブ類およびカルビトール類からなる群から選ばれる少なくとも一種類と、アセチレングリコール類およびアセチレンアルコール類からなる群から選ばれる少なくとも一種類とを含んだもの、あるいは本発明で挙げるような浸透性成分とポリオールを併用したものをプラテン１５に含浸させると、さらにインク（顔料）の山積りの発生をなくすための効果があることが判った。
【００６７】
【発明の効果】
以上、説明したように、本発明によれば、プラテンに浸透性成分を、必要であればさらに２０℃における蒸気圧が０．１ｍｍＨｇ以下のポリオールを併用したものを含浸させているので、プラテンを顔料インクがさらに染み込み易い性質に変換することができる。よって、特に夏季等で室温が上昇した場合に、プラテン上に吐出された顔料インクから水分が蒸発してインク中の顔料濃度が上昇しても、顔料の析出を抑制してプラテンに十分に効率よく染み込ませることができる。
【００６８】
従って、従来技術のように、プラテンの表面にインク（顔料）が山積りになることを防止できる。これにより、次の記録媒体に印刷する際に、山積りに記録媒体の端面が接触して、記録媒体の端面が汚れてしまうことを防止できる。
【図面の簡単な説明】
【図１】本発明に係るインクジェット式記録装置を示す概略図である。
【図２】本発明に係るインクジェット式記録方法を示す説明図である。
【図３】本発明に係るインクジェット式記録方法を示す説明図である。
【図４】本発明に係るインクジェット式記録方法を示す説明図である。
【図５】従来のインクジェット式記録方法を示す説明図である。
【図６】従来のインクジェット式記録方法を示す説明図である。
【図７】従来のインクジェット式記録方法を示す説明図である。
【図８】従来のインクジェット式記録方法を示す説明図である。
【符号の説明】
１０  インクジェット式記録装置
１１  記録ヘッド
１２  ガイド軸
１３  記録用紙（記録媒体）
１４  インク
１５  プラテン
【図１】
2005014424.tif 000005
【図２】
2005014424.tif 000006
【図３】
2005014424.tif 000007
【図４】
2005014424.tif 000008
【図５】
2005014424.tif 000009
【図６】
2005014424.tif 000010
【図７】
2005014424.tif 000011
【図８】
2005014424.tif 000012